(57)【要約】      （修正有）【課題】簡単に生産でき、着用感の良い、使い捨てマウスカバーを提供する。【解決手段】マウスカバーは、耳掛け型のマウスカバーであって、会話時やくしゃみなどで発生する飛沫を通しにくい紙やプラスチックシート一枚で構成されており、マウスカバーは、鼻８と口を覆うマウスカバー本体部と本体部の上部左右に耳掛け部３が設けられ、また本体の中央上部には１対の鉤状部２が設けられており、着用時には鉤状部２をかみ合わせ、マウスカバー本体を湾曲させて着用する。【選択図】図４
0003234468.tif 000002
【実用新案登録請求の範囲】
【請求項１】
耳掛け型のマウスカバーであって、会話時やくしゃみなどで発生する飛沫を通しにくい紙やプラスチックシート一枚で構成されており、前記マウスカバーは、鼻と口を覆うマウスカバー本体部と前記本体部の上部左右に耳掛け部が設けられ、また前記本体の中央上部には１対の鉤状部分が設けられており、着用時には前記鉤状部をかみ合わせ、前記マウスカバー本体を湾曲させて着用することを特徴とするマウスカバー。
【請求項２】
耳掛け型のマウスカバーであって、会話時やくしゃみなどで発生する飛沫を通しにくい紙や不織布やプラスチックなどのシートから構成されており、前記マウスカバーは、鼻と口を覆うマウスカバー本体部と前記本体部の上部左右に耳掛け部が設けられ、また前記本体の中央上部には１対の鉤状部分が設けられており、硬化後に可撓性のあるホットメルト樹脂が前記マウスカバーの上辺に沿って塗布されており、耳掛け部では円弧状あるいは斜め下方向に曲がるように塗布されて耳掛け部が補強されており、前記鉤状部では鉤形状を形成するように塗布されて前記鉤状部が補強されており、着用時には前記鉤状部をかみ合わせ、前記マウスカバー本体を湾曲させて着用することを特徴とするマウスカバー。
【請求項３】
請求項２において、マウスカバー本体部の中央部上部の鉤状部下側の鼻と口を覆うマウスカバー本体部上辺に、硬化後に可撓性のあるホットメルト樹脂を下側に凸となるように円弧状に塗布したことを特徴とする請求項２に記載のマウスカバー。
【請求項４】
マウスカバーの耳掛け部に複数の下向きの凸状部が設けられており、着用者の左右の耳間の長さにあわせて、耳の掛ける位置を調整することが可能である請求項１〜３に記載のマウスカバー。
【考案の詳細な説明】
【技術分野】
【０００１】  本考案は、飲食時に使用するマウスカバーに関するものである。
【背景技術】
【０００２】  インフルエンザやコロナウイルス等の流行時には、飲食時にも、食べ物や、飲み物を口に入れるとき以外は、マスクの着用を求められる。しかし、飲食時は口もとが食べ物や飲み物で汚れやすく、飲食後にマスクを着用するとマスクが汚れてしまい不衛生であった。そのため、特許文献１や特許文献２のような使い捨ての簡易型マウスカバーが提供されている。
【先行技術文献】
【特許文献】
【０００３】
【特許文献１】実用新案登録第３２３１４４５号
【特許文献２】実用新案登録第３２３１１３１号
【考案の概要】
【考案が解決しようとする課題】
【０００４】  しかし、このようなマウスカバーは、食事１回につき、１枚を捨ててしまうため、安くなくてはならないが、特許文献１では、不織布を所定の形状にカットを行い、不織布に係止基部を作成、所定の長さに切った係止部材を係止基部に通し、最後に結ぶ、といった少なくとも４つの工程が必要であり、生産コストが高い問題がある。また、特許文献２では所定の形状に打ち抜くだけと工程数は少ないが、耳掛け部とマスク本体との接続部で、耳掛け部をマスク本体の外側から接続したときは着用者の顔の形状によっては、耳掛け部の舌片部が肌にあたり、違和感を生じる。反対に耳掛け部をマスク本体の内側から接続した場合でも、マスク本体と耳掛け部との間に段差ができるので、着用者の顔の形状によっては、やはり違和感を生じることになる。【０００５】  本考案は、上記の観点から、出来る限り簡単に生産でき、着用感の良い、使い捨てマウスカバーの提案を目的とする。
【課題を解決するための手段】
【０００６】  上記目的の達成のため、本考案のマウスカバーは、耳掛け型のマウスカバーであって、会話時やくしゃみなどで発生する飛沫を通しにくい紙やプラスチックシート一枚で構成されており、前記マウスカバーは、鼻と口を覆うマウスカバー本体部と前記本体部の上部左右に耳掛け部が設けられ、また前記本体の中央上部には１対の鉤状部分が設けられており、着用時には前記鉤状部をかみ合わせ、前記マウスカバー本体を湾曲させて着用することを特徴としている。【０００７】  あるいは、耳掛け型のマウスカバーであって、会話時やくしゃみなどで発生する飛沫を通しにくい紙や不織布やプラスチックなどのシートから構成されており、前記マウスカバーは、鼻と口を覆うマウスカバー本体部と前記本体部の上部左右に耳掛け部が設けられ、また前記本体の中央上部には１対の鉤状部分が設けられており、硬化後に可撓性のあるホットメルト樹脂が前記マウスカバーの上辺に沿って塗布されており、耳掛け部では円弧状あるいは斜め下方向に曲がるように塗布されて耳掛け部が補強されており、前記鉤状部では鉤形状を形成するように塗布されて前記鉤状部が補強されており、着用時には前記鉤状部をかみ合わせ、前記マウスカバー本体を湾曲させて着用することを特徴としている。【０００８】  また、マウスカバー本体部の中央部上部の鉤状部下側の鼻と口を覆うマウスカバー本体部上辺に、硬化後に可撓性のあるホットメルト樹脂を下側に凸となるように円弧状に塗布を行ってもよい。【０００９】  また、マウスカバーの耳掛け部に複数の下向きの凸状部が設けられており、着用者の左右の耳間の長さにあわせて、耳の掛ける位置を調整できるようにしてもよい。
【考案の効果】
【００１０】  本考案のマウスカバーは、紙、不織布、プラスチックなどの材質のシートをマウスカバー状に切り抜いて出来ており、前記材質が柔らかい場合には、ポリアミドやポリウレタンなどのホットメルト樹脂を直接、ディスペンサーで芯材として塗布して、マウスカバー状に切り抜いて作成される。したがって、工程としては、紙や、不織布、プラスチックシートを、所定の形状に切り抜くだけか、紙や、不織布、プラスチックシート上にポリアミドやウレタンのホットメルト樹脂を所定の形状に塗布して、所定の形状に切り抜くだけで、マウスカバーが完成する。【００１１】  また、芯材はマウスカバー本体部と耳掛け部まで、連続で塗布されているためマウスカバー本体部と耳掛け部との間に段差が発生しない。また、芯材はホットメルトをディスペンサーで塗布するため、形状はかまぼこ型となり、角張った部分が無く、着用感も良好となる。
【図面の簡単な説明】
【００１２】
【図１】本考案による実施例１のマウスカバーの裁断時の配置図。
【図２】本考案による実施例１のマウスカバーの裏面図。
【図３】本考案による実施例１の着用時のマウスカバーの図。
【図４】本考案による実施例１のマウスカバーを着用した図。
【図５】本考案による実施例２のマウスカバーの芯材の作成図。
【図６】本考案による実施例２のマウスカバーの裁断時の配置図。
【図７】本考案による実施例２のマウスカバーの裏面図。
【図８】本考案による実施例２のマウスカバーを着用した側面図。
【図９】本考案による実施例２の比較用マウスカバーを着用した側面図。
【図１０】本考案による実施例２の着用時のマウスカバーの図。
【図１１】本考案による実施例２のマウスカバー着用時の飲食動作の図。
【図１２】本考案による実施例３のマウスカバーの芯材の作成図。
【図１３】本考案による実施例３のマウスカバーの裏面図。
【図１４】本考案による実施例４のマウスカバーの裏面図。
【図１５】本考案による実施例４のマウスカバーの着用時の側面図。
【図１６】本考案による実施例４のマウスカバーの芯材の作成図。
【考案を実施するための形態】
【実施例】
【００１３】  以下、本考案の実施例について説明を行う。図１から図４は本考案の第１実施例に関する図である。図１は、マウスカバー本体に使うシート４に、マウスカバーの輪郭線５を表記したものである。実際には、輪郭線はなく、抜き刃や、レーザーなのでカットされる。実施例１で使用するシート４はコピー用紙程度以上の剛性を持った紙を使用している。輪郭線５のカットは、抜き刃で行ったが、他の手段でもよい。図２はシート４から切り離されたマウスカバー１である。図中の１は、マウスカバー、２は、鉤状部、３は、耳掛け部である。マウスカバー左右中央部の上部の１対の鉤状部２を噛み合わせて、マウスカバー本体部６を湾曲させ、耳掛け部３を、着用者の耳７にかけ、鉤状部の噛み合わせ部を鼻８にかけて使用する。図３は中央部上部の１対の鉤状部２を噛み合わせて、マウスカバー本体部６を湾曲させた状態の図である。図４はマウスカバーを着用した図である。コピー用紙の厚みでは、耳を紙で切ってしまう恐れがあるため、コピー用紙よりも厚みのある紙がよい。具体的には０．１５ｍｍから０．４ｍｍ程度が良い。０．４ｍｍ程度になると、かなり剛性がでてくるので、耳掛け部を意図的に内側に折り曲げて使用することになる。鉤状部２を噛み合わせるのは、使用するときであり、販売時はカットしたままの平な状態で行う。【００１４】  図５から図１１は本考案の第２実施例に関する図である。実施例２では、マウスカバー本体のシートを不織布により作成する。不織布の場合は、紙よりも剛性が劣るため、マウスカバーの上辺部等に補強が必要である。補強に使う芯材はホットメルト樹脂にて行う。不織布のシート１４に、ホットメルト樹脂１９をディスペンサーを使用して図５の塗布形状１９’の形に塗布する。ホットメルト樹脂１９が硬化後、プレス機により所定の形状１５に、打ち抜き、本考案のマウスカバー１ａが完成する。ホットメルト樹脂１９は、ウレタン樹脂を使用している。ウレタン樹脂は硬化後も可撓性があり、着用後も違和感は少ない。また、芯材はホットメルトをディスペンサーで塗布しているため、形状はかまぼこ型になるので、角張った部分が無く、着用感も良好である。ウレタン樹脂は湿気硬化型でもよい。また樹脂はポリアミド樹脂でもよく、着用時に直線へ戻ろうとする反発が少ない樹脂であればよい。芯材の塗布形状１９′は、マウスカバーの上側外縁２０にそって塗られており、中央部から、耳掛け部３′にかけて外縁にそって塗られ、耳掛け部３′は眼鏡のフレームのように、円弧状あるいは斜め下方向に曲がっている。マウスカバーの左右方向中央部２１では、芯が２線に分かれ、下側の芯２３は連続して形成され、マウスカバーの左右の上辺の芯材と連結している。左右方向中央部の上側の芯は、マウスカバーの本体の左右方向の中央から少し離れた部分で鉤状２２を形成しており、左右１対になるように形成されている。鉤状部分２２は、マウスカバーの左右方向の中央へ斜め上方に向けて設けてあり、中央下側の芯材２３は、若干、下へ凸となるように湾曲させている。これは、鉤状部分は噛み合わせると、耳掛け部方向へ引っ張られる力が働くため、噛み合わせ位置が、若干下がるのと、マウスカバー本体６′を、図８のように、なる��く顔の軸と並行にするためである。中央下側の芯２３を、耳掛け部３からのラインの延長で、描いてしまうと、芯材２３のある部分は、若干上を向いてしまう。そうすると、マウスカバー本体下部は図９のように、顔から離れるようになってしまうからである。前記鉤状部分２ａを着用時に噛み合わせることで、マウスカバー本体が湾曲して顔に沿うようになる。左右方向中央の下側にある芯材２３があることにより、マウスカバー本体を湾曲させたときに、マウスカバー本体が左右方向で折れ曲がったり、皺にならない効果がある。芯材２３があるので、マウスカバー本体中央部のシートが曲線を描くことができ、口から一定の距離を保つことが可能となり、着用時のまとわりつくような不快感を無くすことができる。また、不織布は柔らかいため、マウスカバー１ａを外さずとも、図１１のように片手でマウスカバー本体の下部をつまみ、めくっておいて、他方の手で食べ物などを口に運ぶことができる。以上のように、製造工程は、不織布のシートに、ホットメルト樹脂を塗布して、所定形状にカットするだけと非常に簡単である。なお、不織布の代わりに、紙や、プラスチックなどのシートを使用してもよい。【００１５】  図１２から図１３は本考案の第３実施例に関する図である。実施例３のマウスカバー３１は、実施例２のホットメルト樹脂による芯材を１列から２列にしたものである。芯材を２列にすることで、耳掛け部の剛性を増したものである。他の特性は実施例２と同じであるので割愛する。図１２が、不織布シート３４に、ホットメルト樹脂３９を塗布した半製品４４である。図１３が、半製品４４をマウスカバーの形状に打ち抜いた最終形態である。【００１６】  図１４から図１６は本考案の第４実施例に関する図である。図１４が実施例４のマウスカバー５１である。実施例３の耳掛け部に複数の下向きの凸状部６５を付け足したものである。この実施例では、凸状部は、片側３個ずつである。この複数の凸状部６５は、それぞれが耳を掛けるところであり、着用者の顔の大きさに合わせて、着用者に合う凸状部を耳にかける。図１５に着用状態を示す。図１５の左の図は、６５Ａが着用者の耳にかかっており、左右の耳掛け部間の長さが狭い状態である。逆に、図１５の右の図は、６５Ｃが着用者の耳にかかっており、左右の耳掛け部間の長さが広い状態である。このように、耳掛け部に複数の凸状部を設けることで、一つのマウスカバー５１で、色々な顔の大きさに対応することができる。ホットメルト樹脂５９による芯材の形状５９′は、図１６の通りある。耳掛け部は、補強のため、複数の凸状部にそって芯材も凸状部を形成している。【００１７】  なお、上述した実施例は例示であり、実施例の記載により本考案は制限されず、本考案の技術思想の範囲内での設計変更も可能である。
【符号の説明】
【００１８】  １、１ａ、３１、５１  マウスカバー
２、２２、２ａ  鉤状部
３、３’  耳掛け部
４、１４、３４  シート
５、１５  輪郭線
６、６’  マウスカバー本体部
７  耳
８  鼻
１９、３９、５９  ホットメルト樹脂
１９’、５９’  芯材の塗布形状
２０  上側外縁
２１  左右方向中央部
２３  芯材
４４  半製品
６５、６５Ａ、６５Ｂ、６５Ｃ  凸状部
【図１】
0003234468.tif 000003
【図２】
0003234468.tif 000004
【図３】
0003234468.tif 000005
【図４】
0003234468.tif 000006
【図５】
0003234468.tif 000007
【図６】
0003234468.tif 000008
【図７】
0003234468.tif 000009
【図８】
0003234468.tif 000010
【図９】
0003234468.tif 000011
【図１０】
0003234468.tif 000012
【図１１】
0003234468.tif 000013
【図１２】
0003234468.tif 000014
【図１３】
0003234468.tif 000015
【図１４】
0003234468.tif 000016
【図１５】
0003234468.tif 000017
【図１６】
0003234468.tif 000018